(57)【要約】【課題】バクテリアやカビ等の菌が繁殖してノロが生じるのを抑制し、メンテナンスの頻度を削減しつつ、パイプ内が詰まるのを未然防止することが可能な排水用抗菌パイプを提供する。【解決手段】樹脂材料から筒状に形成される排水用抗菌パイプであり、少なくとも一部が、有機系抗菌剤を含有する樹脂材料からなる抗菌領域である。【選択図】なし【特許請求の範囲】
【請求項１】
樹脂材料から筒状に形成されるとともに、少なくとも一部が、有機系抗菌剤を含有する樹脂材料からなる抗菌領域とされた、排水用抗菌パイプ。
【請求項２】
少なくとも、筒内面側に配される内層と、筒外面側に配される外層とを含む複数の樹脂層を有し、前記内層が前記抗菌領域とされた、請求項１に記載の排水用抗菌パイプ。
【請求項３】
前記抗菌領域は、前記樹脂材料中における前記有機系抗菌剤の含有量が０．３〜１．０質量％である、請求項１又は請求項２に記載の排水用抗菌パイプ。
【請求項４】
前記有機系抗菌剤が、２-（４-チアゾリル）-ベンズイミダゾール、Ｎ -（ フルオロジクロロメチルチオ）-フタルイミド、２，３，５，６-チトクロロ-４-（メチルスルホニル）-ピリジン、１０，１０´-オキシビスフェノキシアルシン、トリメトキシシリル-プロピルオクタデシルアンモニウムクロライド、２-ｎ-オクチル-４-イソチリアゾン-３-オン、及びビス（２-ピリジルチオ-１-オキシド）亜鉛からなる群から選択される、少なくとも１以上を含有する、請求項１〜請求項３の何れか一項に記載の排水用抗菌パイプ。
【請求項５】
前記樹脂材料がポリ塩化ビニールである、請求項１〜請求項４の何れか一項に記載の排水用抗菌パイプ。
【発明の詳細な説明】
【技術分野】
【０００１】
本発明は、排水用抗菌パイプに関する。
【背景技術】
【０００２】
例えば、スーパーマーケットやコンビニエンスストア等に設置される冷凍・冷蔵ショーケースや、空調機の室外機などは、ドレン排水等を外部に排出するためのドレン排水口を備えている。このドレン排水口から装置外に排出される排水は、排水用パイプに導かれ、浄化槽に導入されるか、あるいは下水道に直接放出される。
【０００３】
一般に、ドレン排水は多くの雑菌等を含むことから、このドレン排水が導入される排水用パイプの内部において、雑菌等が繁殖し、これらの雑菌が固化することで、所謂ノロと呼ばれる堆積物が生じる場合がある。このようなノロは、それ自体が不衛生であるとともに、パイプ内に詰まりを発生させる場合がある。
【０００４】
従来、上記のようなノロが排水用パイプ内に生じるのを抑制したり、又は、パイプ内に生じたノロを除去したりする方法として、例えば、雑菌等を消滅させる薬剤をパイプ内に注入する方法が用いられている。しかしながら、このような方法では、作業の都度、各装置のドレン排水口を排水用パイプから取り外したりする必要がある等、メンテナンス性に劣るという問題がある。特に、高温高湿の夏場等は雑菌等の繁殖も盛んになることから、ノロの除去作業を行う頻度が高くなり、より効率的な除去方法が望まれていた。
【０００５】
ここで、例えば、宅地、農地、又はグラウンド等、各種の土木構築物や造成地において、土中に埋設して雨水等を排水するための暗渠に用いられる排水管として、内層側に無機抗菌剤が配合された構成のものがある（例えば、特許文献１を参照）。特許文献１に記載されたような暗渠用の排水管によれば、排水が通水される内層側に無機抗菌剤が配合されることで、管が黒ずんだり、内部の水が汚濁したりするのを抑制できるとされている。
【０００６】
一方、上記のような、冷凍・冷蔵ショーケース等のドレン排水の排水用パイプには、一般に、内径が７０〜８０ｍｍ程度と比較的小径のものが用いられるが、このような小径の排水用パイプは、雑菌等に由来するノロが発生した場合に管路が詰まりやすい傾向がある。しかしながら、このような、ドレン排水を排出するための比較的小径の排水用パイプにおいて、雑菌等の繁殖を抑制してノロが発生するのを防止し、パイプ内が詰まるのを未然防止するための技術については、これまで提案されていなかった。
【先行技術文献】
【特許文献】
【０００７】
【特許文献１】特開２０１４−０５２０１５号公報
【発明の概要】
【発明が解決しようとする課題】
【０００８】
本発明は上記課題に鑑みてなされたものであり、パイプ内において雑菌等が繁殖してノロが生じるのを抑制し、メンテナンスの頻度を削減しつつ、パイプ内が詰まるのを未然防止することが可能な排水用抗菌パイプを提供することを目的とする。
【課題を解決するための手段】
【０００９】
上記課題を解決するために本発明者等が鋭意検討を重ねたところ、上記のような冷凍・冷蔵ショーケースや空調機からのドレン排水から生成されるノロは、主に、低温バクテリア等の細菌、及び、カビ（真菌）から構成されていることを突き止めた。そして、ドレン排水が導入されるパイプを、有機系抗菌剤を含む樹脂材料から構成することが、上記のようなバクテリアやカビ等の繁殖を抑制し、ノロの発生を防止するのに有効であることを見出し、本発明を完成させた。
【００１０】
即ち、本発明に掛かる排水用抗菌パイプは、樹脂材料から筒状に形成されるとともに、少なくとも一部が、有機系抗菌剤を含有する樹脂材料からなる抗菌領域とされていることを特徴とする。
【００１１】
上記構成の排水用抗菌パイプによれば、有機系抗菌剤を含有する樹脂材料からなる抗菌領域を設けることで、有機系抗菌剤の作用により、パイプ内において、排水中に含まれるバクテリアやカビ等の菌が繁殖するのを抑制できる。これにより、例えば、薬剤等を用いたメンテナンスを行うことなく、パイプ内においてバクテリアやカビ等からなるノロが生じるのを元から絶つことができ、詰まりが生じるのを未然に防止することが可能になる。
【００１２】
また、本発明に掛かる排水用抗菌パイプは、上記構成において、少なくとも、筒内面側に配される内層と、筒外面側に配される外層とを含む複数の樹脂層を有し、前記内層が前記抗菌領域とされた構成とすることができる。
【００１３】
上記構成の排水用抗菌パイプによれば、有機系抗菌剤を含む樹脂材料からなる抗菌領域を内層にのみに設けることで、上記の抗菌作用を低下させることなく、比較的高価な有機系抗菌剤の使用量を減量することができるので、大幅なコストダウンが可能になる。
【００１４】
また、本発明に掛かる排水用抗菌パイプは、上記構成において、前記抗菌領域は、前記樹脂材料中における前記有機系抗菌剤の含有量が０．３〜１．０質量％であることが好ましい。
【００１５】
上記構成の排水用抗菌パイプによれば、抗菌領域における樹脂材料中の有機系抗菌剤の含有量が上記範囲であることで、材料費のコストアップを招くことなく上記のような抗菌作用が得られ、ノロが生じるのを効果的に防止できる。
【００１６】
また、本発明に掛かる排水用抗菌パイプは、上記構成において、前記有機系抗菌剤として、２-（４-チアゾリル）-ベンズイミダゾール、Ｎ -（ フルオロジクロロメチルチオ）-フタルイミド、２，３，５，６-チトクロロ-４-（メチルスルホニル）-ピリジン、１０，１０´-オキシビスフェノキシアルシン、トリメトキシシリル-プロピルオクタデシルアンモニウムクロライド、２-ｎ-オクチル-４-イソチリアゾン-３-オン、及びビス（２-ピリジルチオ-１-オキシド）亜鉛からなる群から選択される、少なくとも１以上を含有する構成を採用することができる。
【００１７】
上記構成の排水用抗菌パイプによれば、樹脂材料に含まれる有機系抗菌剤を、上記の群から選択されるものとすることで、上記の抗菌作用が効果的に得られ、バクテリアやカビ等の菌が繁殖するのを顕著に抑制できるので、ノロが生じるのを確実に防止することが可能になる。
【００１８】
また、本発明に掛かる排水用抗菌パイプは、上記構成において、前記樹脂材料がポリ塩化ビニールである構成を採用することができる。
上記構成の排水用抗菌パイプによれば、樹脂材料をポリ塩化ビニールとすることで、実用上十分な強度を確保しながら、製造コストを抑制することが可能になる。
【発明の効果】
【００１９】
本発明の排水用抗菌パイプによれば、この排水用抗菌パイプを構成する樹脂材料に有機系抗菌剤を含有する材料を用いることで、有機系抗菌剤の作用により、排水中に含まれるバクテリアやカビ等の菌がパイプ内で繁殖するのを抑制できる。これにより、雑菌を除去するための薬剤等を用いたメンテナンスを行うことなく、バクテリアやカビ等に由来するノロがパイプ内に生じるのを元から絶つことが可能になる。従って、メンテナンスの頻度を削減しつつ、特に、パイプ内径が７０〜８０ｍｍ程度と比較的小径である場合に、パイプ内で詰まりが生じるのを未然に防止することが可能になる。
【図面の簡単な説明】
【００２０】
【図１】本発明に掛かる排水用抗菌パイプの実施例について説明する図であり、抗菌力試験における経過時間と生菌数との関係を示すグラフである。
【図２】本発明に掛かる排水用抗菌パイプの実施例について説明する図であり、抗菌力試験における経過時間と生菌数との関係を示し、図１に示すグラフの生菌数を対数目盛としたグラフである。
【発明を実施するための形態】
【００２１】
以下、本発明に係る排水用抗菌パイプの一実施形態について説明する。
本実施形態の排水用抗菌パイプは、樹脂材料から筒状に形成されるとともに、少なくとも一部が、有機系抗菌剤を含有する樹脂材料からなる抗菌領域とされ、概略構成されている。
【００２２】
図示を省略するが、本実施形態で説明する排水用抗菌パイプは、各種装置で発生するドレン排水等を、浄化設備や下水道等に向けて排出するための配管部材であり、樹脂材料を用いて筒状、より具体的には、例えば、円筒管状又は角筒管状等に構成される。本実施形態の排水用抗菌パイプには、例えば、スーパーマーケットやコンビニエンスストア等に設置される冷凍・冷蔵ショーケースや、空調機の室外機等に備えられるドレン排水口が接続され、これら各装置から排出されるドレン排水が流入する。そして、本実施形態の排水用抗菌パイプは、このドレン排水を浄化設備や下水道等に向けて排出する。
【００２３】
本実施形態の排水用抗菌パイプを構成する樹脂材料としては、例えば、ポリ塩化ビニール、ポリプロピレン、ポリエチレン、ポリスチレン、ポリアミド、ポリエステル、ポリカーボネート、ＡＢＳ等を主材料としたものが挙げられる。これらの中でも、耐圧強度や重量、製造コスト等の観点から、ポリ塩化ビニールを用いることが好ましい。また、排水用抗菌パイプを、後述するように、厚み方向で複数の樹脂層から構成する場合には、これら各層に、それぞれ異なる樹脂材料を用いてもよい。
【００２４】
排水用抗菌パイプをなす樹脂材料には、詳細を後述する有機系抗菌剤に加えて、さらに、必要に応じて他の各種機能を有する添加剤を含有させてもよい。このような添加剤としては、例えば、耐衝撃改良剤、無機充填剤・補強剤、結晶化促進剤、酸化防止剤、中和剤、発泡剤、滑剤、分散剤、過酸化物、熱安定剤、紫外線吸収剤、光安定剤、帯電防止剤、難燃剤、難燃助剤、可塑剤、顔料及び染料等が挙げられる。
【００２５】
上記の耐衝撃改良剤としては、例えば、エチレン−プロピレン共重合体、ポリブタジエンゴム、スチレン−ブタジエン−スチレンブロック共重合体（ＳＢＳ）、及びＳＢＳを水添したスチレン−エチレン−ブチレン−スチレンブロック共重合体（ＳＥＢＳ）、メチルメタクリレートーブタジエンースチレン共重合体（ＭＢＳ）等のゴム類が挙げられる。
また、上記の無機充填剤・補強剤としては、金属粉、カーボンブラック、グラファィト、タルク、マイカ、クレー、炭酸カルシウム、シリカ、水酸化アルミニウム、水酸化マグネシウム、硫酸カルシウム、ガラス繊維、炭素繊維、チタン酸カルシウムウイスカー、及び繊維状のマグネシウムオキシサルフェート等が挙げられる。
【００２６】
上述したように、本実施形態の排水用抗菌パイプは、少なくとも一部が、有機系抗菌剤を含有する樹脂材料からなる抗菌領域とされている。本実施形態では、例えば、抗菌領域が、少なくとも排水用抗菌パイプの筒内面側の大部分を占めるように設けられることが好ましく、筒内面側の全面が抗菌領域であることがより好ましい。このように、排水用抗菌パイプの少なくとも筒内面側が抗菌領域であることで、例えば、冷凍・冷蔵ショーケースや空調機等からのドレン排水に含まれる低温バクテリア等の細菌やカビ等の真菌が、有機系抗菌剤による抗菌作用により、パイプ内において繁殖するのが抑制される。これにより、これらバクテリアやカビ等に由来するノロが生成されるのを抑制することが可能になる。
【００２７】
上記のように、抗菌領域を筒内面側のみに設ける場合、具体的には、排水用抗菌パイプを、例えば、少なくとも、筒内面側に配される内層と、筒外面側に配される外層とを含む、複数の樹脂層を有した構成とし、内層が抗菌領域である構成とすることができる。
このように、有機系抗菌剤を含む樹脂材料からなる抗菌領域を内層にのみに設けることで、上述のように、抗菌作用を低下させることなく、比較的高価な有機系抗菌剤の使用量を減量することができ、材料費を大幅に低減することが可能になる。
【００２８】
また、本実施形態の排水用抗菌パイプは、例えば、筒外面側を含む排水用抗菌パイプ全体が抗菌領域とされていても構わない。一方、上記の有機系抗菌剤は比較的高価であり、排水用抗菌パイプ全体が有機系抗菌剤を含む抗菌領域とされた構成だと、材料費が上昇し、コストアップになるという問題がある。しかしながら、排水用抗菌パイプがバクテリアやカビ等を含むドレン排水と接するのは筒内面側のみであり、この面のみに抗菌領域を設けることが、十分な抗菌作用を確保しながらコストを抑制できる観点から好ましい。
【００２９】
本発明において用いられる、上記の抗菌領域をなす樹脂材料に含有される有機系抗菌剤とは、バクテリア等の細菌及びカビ等の真菌の繁殖を抑制する薬剤のことをいう。このような有機系抗菌剤としては、特に限定されず、従来公知の有機系抗菌剤を用いることができる。本実施形態では、樹脂材料を押出加工する際の加熱に耐えることができ、且つ、樹脂材料中に練り込んだ状態で抗菌効果を持続できる安定な有機系抗菌剤を用いることが好ましい。このような有機系抗菌剤としては、例えば、２-（４-チアゾリル）-ベンズイミダゾール、Ｎ -（ フルオロジクロロメチルチオ）-フタルイミド、２，３，５，６-チトクロロ-４-（メチルスルホニル）-ピリジン、１０，１０´-オキシビスフェノキシアルシン、トリメトキシシリル-プロピルオクタデシルアンモニウムクロライド、２-ｎ-オクチル-４-イソチリアゾン-３-オン、及びビス（２-ピリジルチオ-１-オキシド）亜鉛からなる群から選択される、少なくとも１以上を含有する構成を採用することができる。有機系抗菌剤を上記の群から選択されるものとすることで、パイプ内における抗菌作用が効果的に得られ、バクテリアやカビ等の菌が繁殖するのを顕著に抑制できるので、排水用抗菌パイプ内にノロが生じるのを確実に防止することが可能になる。
【００３０】
上記の抗菌領域における樹脂材料中の有機系抗菌剤の含有量、即ち、抗菌領域をなす樹脂材料の全量に対する有機系抗菌剤の含有量は、０．３〜１．０質量％であることが好ましい。抗菌領域における樹脂材料中の有機系抗菌剤の含有量が上記の下限以上であれば、十分な抗菌作用が得られ、ノロが生じるのを効果的に防止できる。また、樹脂材料中の有機系抗菌剤の含有量が上記の上限以下であれば、材料費のコストアップを最低限に抑制することができる。また、上記の各効果をより顕著に得る観点から、抗菌領域における樹脂材料中の有機系抗菌剤の含有量は、０．５〜１．０質量％であることがより好ましい。
【００３１】
なお、本実施形態の排水用抗菌パイプは、抗菌領域をなす樹脂材料中に、上記の有機系抗菌剤に加え、遅効性の無機系抗菌剤を含有させても構わない。無機系抗菌剤としても、特に限定されるものではなく、一般的な市販品から適宜選択して用いることができる。このような無機系抗菌剤としては、例えば、亜鉛、銅、銀等の抗菌性金属を、燐酸ジルコニウム、ゼオライト、ヒドロキシアパタイト、シリカ・アルミナ、シリカゲル等の無機多孔質体に担持した金属担持型の抗菌剤を挙げることができる。また、無機系抗菌剤を添加する場合の、抗菌領域をなす樹脂材料中における無機系抗菌剤の含有量についても、適宜決定することができる。
【００３２】
上記のように、本実施形態の排水用抗菌パイプにおける抗菌領域は、有機系抗菌剤を含有する樹脂材料からなる領域、即ち、樹脂材料中に有機系抗菌剤が練り込まれた領域である。このように、樹脂材料中に抗菌領域が練り込まれた構成とすることで、例えば、樹脂材料からなるパイプの内面側に単に抗菌剤を塗布した場合等に比べて、抗菌剤が剥離・流出することが無いので、長期間に渡って抗菌作用を持続することが可能になる。
【００３３】
本実施形態の排水用抗菌パイプを製造する方法としては、例えば、従来公知の押出成形法により、樹脂材料を筒状（管状）に成形する方法を採用することができる。
本実施形態の排水用抗菌パイプを製造する際には、まず、従来公知の混合装置を用いて、上記の樹脂材料中に有機系抗菌剤を練り込む。この際、排水用抗菌パイプを複数の樹脂層からなる構成とする場合には、例えば、内層用として、樹脂材料に有機系抗菌剤を練り込んだものを準備する一方、外層及びその他の層に用いる樹脂材料には有機抗菌剤を添加しない。
【００３４】
次いで、例えば、共押出成形機を用いることにより、有機系抗菌剤を含有する樹脂材料（内層）及び有機系抗菌剤を含有しない樹脂材料（外層）を共押出しすることで、抗菌領域である内層、及び、抗菌領域を有さない外層の２層を有する排水用抗菌パイプを一体成形する。これにより、複数の樹脂層からなる排水用抗菌パイプを生産性良く製造することができる。
【００３５】
なお、排水用抗菌パイプ全体に有機系抗菌剤を含有する樹脂材料を用いる場合には、通常の押出成形機を用い、有機系抗菌剤を含有する樹脂材料１種のみを用いて押出成形を行うことで排水用抗菌パイプを製造すればよい。
【００３６】
以上説明したように、本実施形態の排水用抗菌パイプによれば、この排水用抗菌パイプを構成する樹脂材料に有機系抗菌剤を含有する材料を用いることで、有機系抗菌剤の作用により、ドレン排水中に含まれるバクテリアやカビ等の菌が排水用抗菌パイプの内部で繁殖するのを抑制できる。これにより、雑菌を除去するための薬剤等を用いたメンテナンスを行うことなく、バクテリアやカビ等に由来するノロがパイプ内に生じるのを元から絶つことが可能になる。従って、メンテナンスの頻度を削減しつつ、特に、パイプ内径が７０〜８０ｍｍと比較的小径である場合に、パイプ内に詰まりが生じるのを未然に防止することが可能になる。
【００３７】
また、本実施形態の排水用抗菌パイプによれば、パイプ内に詰まりが生じるのを未然防止できるので、例えば、不衛生なノロやドレン排水がパイプ外に溢れ出したりするのを防ぐことができる。これにより、排水用抗菌パイプの設置場所、例えばスーパーマーケット等の各種店舗や工場、住宅等において環境劣化が生じるのを防止することが可能となる。
さらに、本実施形態の排水用抗菌パイプを、例えば、上記の冷凍・冷蔵ショーケースや空調機のドレン排水等を外部に排出する用途に適用することで、ドレン排水経路を実質的にメンテナンスフリーとすることができ、設備維持費や人件費等の低減にも繋がる。
【００３８】
また、本実施形態の排水用抗菌パイプは、上記のような各種装置のドレン排水等を排出する用途のみならず、その他の雑菌類を含む排水の処理経路や処理装置等に対しても、何ら制限無く適用することが可能である。
【実施例】
【００３９】
以下、実施例を挙げて、本発明の排水用抗菌パイプをより具体的に説明するが、本発明はこれらの実施例に限定されるものではない。
【００４０】
＜排水用抗菌パイプのサンプルの作製＞
本実施例においては、以下の手順で排水用抗菌パイプのサンプルを作製した。
まず、市販のポリ塩化ビニール樹脂（重合度：１０００）１００重量部に対して安定剤を２重量部で添加したパイプ材料を準備し、これに対して、イミダゾール系の有機系抗菌剤（エム・アイ・シー社製：ＰＢＭ−オブスティネイト・ジョイント）を、その配合量がポリ塩化ビニール樹脂の全量に対して０．５質量％となるように添加した。そして、この樹脂材料を用いて押出成形することにより、実施例の排水用抗菌パイプ（外径：８９ｍｍ、厚さ：５．９ｍｍ）のサンプルを作製した。
また、市販のポリ塩化ビニール製のパイプ（外径：８９ｍｍ、厚さ：５．９ｍｍ）を準備し、これを比較例の排水用パイプとした。
そして、上記手順で作製した実施例及び比較例の各パイプから３０ｍｍ×３０ｍｍの試験片を各々切り出し、以下の各試験における供試材とした。
【００４１】
＜抗菌力試験（低温バクテリア）＞
上記手順で得られた実施例及び比較例の試験片を用い、ＪＩＳ  Ｚ２８０１：２０００「抗菌性能試験法」に準拠して抗菌力試験を実施した。
本試験においては、下記表１に示すような、冷凍ショーケースのドレン配管の実地調査で同定したノロの検出菌（低温バクテリア）に関して２４時間及び４８時間で抗菌力試験を行い、結果を下記表１中に示すとともに、経過時間に対する生菌数の変化を図１及び図２のグラフに示した。
【００４２】
【表１】
2018066389.tif 000002
【００４３】
＜カビ抵抗性試験（真菌）＞
上記手順で得られた実施例及び比較例の試験片を用い、パシフィックビーム・モールド法（ＵＲＬ；ｈｔｔｐ：／／ｓｔｏｎｅｍａｓｔｅｒ．ｎｅｔ／ｋａｂｉ＿ｃｅｒａｍｉｃｇｕａｒｄ．ｐｄｆ）に準拠してカビ抵抗性試験を実施した。
本試験においては、下記表２に示すような、冷凍ショーケースのドレン配管の実地調査で同定したノロの真菌（カビ）に関して２８日間のカビ抵抗性試験を行い、試験片の目視検査を行った。
【００４４】
なお、上記のパシフィックビーム・モールド法によるカビ抵抗性試験は、培養器及び培養条件の設定により、強制的にカビを発育させやすい環境としている。このため、おおよそ、７日間の試験で約３ヶ月相当、１５日間の試験で約１年間、２１日間の試験で約２年間、２８日間の試験で約３〜５年間の実際的な期間に相当する加速試験を行うことが可能な方法である。従って、今回の試験条件は、実際の環境下における約３〜５年間に相当する条件となる。
【００４５】
【表２】
2018066389.tif 000003
【００４６】
＜評価結果＞
表１及び図１，２のグラフに示す抗菌力試験の結果のように、実施例の試験片は、比較例の試験片に対して、低温バクテリアの１種である「シュードモナス  エルギノーサ（緑膿菌：図１及び図２中において「Ｐｓ」で表示）」については、２４時間後の抗菌活性値が３．４、４８時間後の抗菌活性値が４．１であり、また、「アルカリゲネス  フェカリス（図１及び図２中において「Ａｌ」で表示）」については、２４時間後の抗菌活性値が３．０、４８時間後の抗菌活性値が４．３であり、大きな殺菌効果が認められた。
【００４７】
さらに、本実施例では、上記の有機系抗菌剤の配合量が、ポリ塩化ビニール樹脂の全量に対して、０．３質量％及び１．０質量％となるように添加した場合についても、２４時間後並びに４８時間後の抗菌活性値を調べた。この結果、ポリ塩化ビニール樹脂中における有機系抗菌剤の配合量が０．３質量％及び１．０質量％の何れの場合にも「シュードモナス  エルギノーサ」の生菌数が大幅に減少し、何れも抗菌活性値が２．５以上となり、大きな殺菌効果が認められた。
【００４８】
ここで、本発明において説明する抗菌活性値とは、図２に示す対数グラフにおいて、同条件で試験を行う標準品（比較例）に対する生菌数差の指数部分で表される指標であり、例えば、生菌数の差が１／１０２では「抗菌活性値＝２；生菌の死滅率＝９９％」、１／１０３では「抗菌活性値＝３；生菌の死滅率＝９９．９％」、１／１０４では「抗菌活性値＝４；生菌の死滅率＝９９．９９％」となる。一般に、この抗菌活性値が２．０以上（生菌の死滅率＝９９％以上）であれば、抗菌効果があると見なされる。
【００４９】
また、上記のカビ抵抗性試験の結果、図示を省略するが、比較例の試験片においては、カビの１種である「クラドスポリウム  レジネ（低温性菌）」、及び、「トリコフィトン  アジュロイ（真菌）」に起因するカビの増殖が見られた。
一方、同じ条件でカビ抵抗性試験を行った実施例の試験片においては、目視においてカビの増殖が確認できず、比較例に比べて高いカビ抵抗性を有していることが認められた。
【００５０】
上記の本実施例の結果より、本発明に係る構成の排水用抗菌パイプが、排水中に含まれるバクテリアやカビ等の菌がパイプ内で繁殖するのを抑制でき、これらの雑菌に由来するノロが生じるのを防止できることから、パイプ内で詰まりが発生するのを未然防止することが可能であることが明らかである。
【産業上の利用可能性】
【００５１】
本発明の排水用抗菌パイプは、パイプ内における各種雑菌の繁殖を抑制してノロが生じるのを防止し、パイプ内で詰まりが発生するのを未然防止できる。従って、例えば、スーパーマーケットやコンビニエンスストア等に設置される冷凍・冷蔵ショーケースや空調機のドレン排水等を排出する排水管に本発明の排水用抗菌パイプを適用することで、不衛生な排水やノロがパイプ外に溢れ出したりするのを防止でき、且つ、実質的なメンテナンスフリーを実現することが可能になることから、非常に有用である。
【図１】
2018066389.tif 000004
【図２】
2018066389.tif 000005